(57)【要約】      （修正有）【課題】どの方向からの風でも多くの風を利用でき場所をとらずに、微風でも効率よく発電できる装置の提供。【解決手段】中央に発電機とファンを取り付けたローターを設け、その周りに複数の板で放射状に区切られた通路を設ける。ローターに取り付けられた発電機とファンは回転の中心より後方に位置し、導風板により常に一番強く風を受けるようになる。放射状になった通路の入り口から入った風は、奥に行くほど狭くなっているため運動エネルギーが増し高速になる。これをファンに効率よく当てることにより発電する。風向が変化しても常に効率の良い方向にローターが回転し、微風においても発電できる。タワー状に積み上げることが可能で、場所をとらずに複数の発電装置を設置できる。【選択図】図１
0003108323.tif 000002
【実用新案登録請求の範囲】
【請求項１】
中央に発電機とファンを取り付けたローターを設け、その周りに複数の板で放射状に区切られた通路を設けたもので、風向が変化しても常に効率の良い方向にローターが回転し、風を集め微風においても発電できる装置。
【考案の詳細な説明】
【技術分野】
【０００１】  この考案は、あらゆる方向からの微風時にも発電能力を保ち、かつ設置場所を広範囲に選択できる風力発電装置に関する。
【背景技術】
【０００２】  従来、風力発電は微風時にはその発電能力も下がり、例えあっても風向に左右されている。また設置場所も限定されている。
【考案の開示】
【考案が解決しようとする課題】
【０００３】  現在のプロペラ式風力発電装置は設置場所が限られ、また微風での発電には適していない。また設置には費用がかかり広い場所も必要であった。これをどこでも安価に設置でき、風向に左右されずに微風時でも有効な発電能力を確保するものである。
【課題を解決するための手段】
【０００４】  上記の目的を達成するために、この考案は、中央に発電機とファンを取り付けたローターを設け、その周りに複数の板で放射状に区切られた通路を設ける。ローターに取り付けられた発電機とファンは回転の中心より後方に位置し、導風板により常に一番強く風を受けるようになる。放射状になった通路の入り口から入った風は、奥に行くほど狭くなっているため運動エネルギーが増し高速になる。これをファンに効率よく当てることにより発電する。風向が変化しても常に効率の良い方向にローターが回転し、微風においても発電できる。この装置は平面に設置できるだけでなく、垂直に積み上げてタワーのように設置したり、ビルの屋上に設置し上部に太陽光発電装置を置くスペースも確保できるようにする。
【考案の効果】
【０００５】  この考案は、以上説明したように構成するので、以下に記載するような効果を奏する。
まず、あらゆる方向からの風を利用できる。また微風時にも風を集めて発電できる。設置場所も平面でなく、垂直方向に積み上げタワーにすることができる。それだけ利用できる風の量も多くなり、設置の為の場所を小さくできる。ビルの屋上などに取り付ければ上部は太陽光発電の設置場所としても利用でき経済的効果も大きい。
【考案を実施するための最良の形態】
【０００６】  この考案は中央に設置された発電機とファンをのせたローター部と放射状に仕切られた周辺装置から成り立っている。仕切り板で集められた風を効率よくファンに当てるためにローターに風を集めるフィンが必要である。また上方より見ると全体として正方形をしているが、場所によっては必ずしも正方形でなくても良い。長方形、円形などが考えられる。ビル屋上に設置する場合には一定の規格をもった形が望まれる。同時に屋外に設置することを考え、耐候性および電気の漏電、配電に配慮を必要とする。風向に対しては導風板によりローターを最適な位置にコントロールできるが、風向計を組み込んだり、ローター風向調整装置を使えば、より確実に風をとらえることができる。なお、風の入り口には内部を保護するために、シャッターを設け強風時の風量をコントロールし、ネットを設置して鳥の侵入を防ぐ必要がある。同時に雨水の浸入を防ぐために水の返しと外への傾斜を設けておく必要がある。
【実施例】
【０００７】  図１は、微風力発電装置の平面図である。
図２は、微風力発電装置の断面図である。
外観を正方形にした場合の実施例である。
【産業上の利用の可能性】
【０００８】  上記のように構成した微風力発電装置は、どの方向からの風に対しても内部のローターが導風板により向きをかえて正面に受けることができる。また微風に対しても風を集め、運動のエネルギーを増大させてファンに当て、効率よく発電できる。また、同装置をタワー状に垂直方向に積み上げて設置することにより、風を受ける面積を増大させることができ、設置場所を少なくすることができる。
【図面の簡単な説明】
【０００９】
【図１】  微風力発電装置の平面図
【図２】  微風力発電装置の断面図
【符号の説明】
【００１０】    １……ファン
２……発電機
３……仕切り板
４……ローター軸
５……ローター
６……導風板
７……軸受け及び発電出力端子
８……軸受け及びローター風向調整装置
【図１】
0003108323.tif 000003
【図２】
0003108323.tif 000004
【手続補正書】
【提出日】平成16年9月21日(2004.9.21)
【手続補正１】
【補正対象書類名】明細書
【補正対象項目名】全文
【補正方法】変更
【補正の内容】
【考案の詳細な説明】
【技術分野】
【０００１】  この考案は、あらゆる方向からの微風時にも発電能力を保ち、かつ設置場所を広範囲に選択できる微風力発電装置に関する。
【背景技術】
【０００２】  従来、風力発電は微風時にはその発電能力も下がり、例えあっても風向に左右されている。また設置場所も限定されている。
【考案の開示】
【考案が解決しようとする課題】
【０００３】  現在のプロペラ式風力発電装置は設置場所が限られ、また微風での発電には適していない。また設置には費用がかかり広い場所も必要であった。これをどこでも安価に設置でき、風向に左右されずに微風時でも有効な発電能力を確保するものである。
【課題を解決するための手段】
【０００４】  上記の目的を達成するために、この考案は、中央に発電機とファンを取り付けたローターを設け、その周りに複数の板で放射状に区切られた風の通路を設ける。ローターに取り付けられた発電機とファンは回転の中心より後方に位置し、導風板により常に一番強く風を受けるようになる。放射状になった通路の入り口から入った風は、奥に行くほど狭くなっているため運動エネルギーが増し高速になる。これをファンに効率よく当てることにより発電する。風向が変化しても常に効率の良い方向にローターが回転し、微風においても発電できる。この装置は平面に設置できるだけでなく、垂直に積み上げてタワーのように設置したり、ビルの屋上に設置し上部に太陽光発電装置を置くスペースも確保できるようにする。
【考案の効果】
【０００５】  この考案は、以上説明したように構成するので、以下に記載するような効果を奏する。
まず、あらゆる方向からの風を利用できる。また微風時にも風を集めて発電できる。設置場所も平面でなく、垂直方向に積み上げタワーにすることができる。それだけ利用できる風の量も多くなり、設置の為の場所を小さくできる。ビルの屋上などに取り付ければ上部は太陽光発電の設置場所としても利用でき経済的効果も大きい。
【考案を実施するための最良の形態】
【０００６】  この考案は中央に設置された発電機とファンをのせたローター部と放射状に仕切られた周辺装置から成り立っている。仕切り板で集められた風を効率よくファンに当てるためにローターに風を集めるフィン（導風板）が必要である。また上方より見ると全体として正方形をしているが、場所によっては必ずしも正方形でなくても良い。長方形、円形などが考えられる。ビル屋上に設置する場合には一定の規格をもった形が望まれる。同時に屋外に設置することを考え、耐候性および電気の漏電、配電に配慮を必要とする。風向に対しては導風板によりローターを最適な位置にコントロールできるが、風向計を組み込んだり、ローター風向調整装置を使えば、より確実に風をとらえることができる。なお、風の入り口には内部を保護するために、シャッターを設け強風時の風量をコントロールし、ネットを設置して鳥の侵入を防ぐ必要がある。同時に雨水の浸入を防ぐために水の返しと外への傾斜を設けておく必要がある。
【実施例】
【０００７】  図１は、微風力発電装置の中央部水平断面図である。
図２は、微風力発電装置の中央部縦断面図である。
外観を正方形にした場合の実施例である。
ファン１と発電機２とを設けたローター５を中央に設け、周りに仕切り板３で放射状に区切られた風の通路を設ける。通路は、上下は傾斜板で、横は仕切り板３で囲まれる。ローター５は、ローター軸４と軸受け及び発電出力端子７と軸受け及びローター風向調整装置８とを介して、上下の板に取り付ける。
ローター５には導風板６を設ける。
【産業上の利用の可能性】
【０００８】  上記のように構成した微風力発電装置は、どの方向からの風に対しても内部のローターが導風板により向きをかえて正面に受けることができる。また微風に対しても風を集め、運動のエネルギーを増大させてファンに当て、効率よく発電できる。また、同装置をタワー状に垂直方向に積み上げて設置することにより、風を受ける面積を増大させることができ、設置場所を少なくすることができる。
【図面の簡単な説明】
【０００９】
【図１】  微風力発電装置の中央部水平断面図
【図２】  微風力発電装置の中央部縦断面図
【符号の説明】
【００１０】    １……ファン
２……発電機
３……仕切り板
４……ローター軸
５……ローター
６……導風板
７……軸受け及び発電出力端子
８……軸受け及びローター風向調整装置